(57)【要約】      （修正有）【課題】背板不要のＬＥＤ照明器具を提供する。【解決手段】背板不要のＬＥＤ照明器具は、下面と中空部とを有する基枠１０１と、下面および中空部の下方に配置された冷却板１０２と、冷却板１０２の下方に積層されて配置されたＬＥＤ直管螢光灯１０４および絶縁シート１０３と、中央反射板、側方反射板および側板を有する反射シェル１０５とを含む。中央反射板と側方反射板は縁部を含み、中央反射板の縁部と側方反射板の縁部との間の距離は、縁部をＬＥＤ直管蛍光灯１０４に密接に装着するため、ＬＥＤ直管蛍光灯１０４の幅と等しくなっている。【選択図】図１
0003147577.tif 000002
【実用新案登録請求の範囲】
【請求項１】
背板不要のＬＥＤ照明器具であって、
下面と中空部とを有する基礎枠と、
前記下面に設けられ、前記中空部下方に配置された冷却板と、
前記冷却板の下方に積層されたＬＥＤ装置および絶縁シートと、
中央反射板、側方反射板および側板を有する反射シェルとを、備え、
前記中央反射板および前記側方反射板はそれぞれ縁部を有し、前記縁部を前記ＬＥＤ装置に密接に装着させるために、前記中央反射板の縁部と前記側方反射板の縁部の間の距離は、前記ＬＥＤ機器の幅と等しくすることを特徴とする背板不要のＬＥＤ照明器具。
【請求項２】
前記ＬＥＤ装置は、ＬＥＤ直管蛍光灯であることを特徴とする請求項１に記載の背板不要のＬＥＤ照明器具。
【請求項３】
前記基枠は、内側の側壁に形成された可撓薄片をさらに備え、前記反射シェルの前記側板は、前記可撓薄片を挿入するための開口部を備えることを特徴とする請求項１に記載の背板不要のＬＥＤ照明器具。
【請求項４】
前記反射シェルの下方に配置された光透過板と、前記光透過板を固定するために前記反射シェルの前記側板の下方に配置された保持枠とをさらに備え、前記光透過板の材料は、アクリルシートまたはポリカーボネートシートを含むことを特徴とする請求項１に記載の背板不要のＬＥＤ照明器具。
【請求項５】
前記保持枠は、前記保持枠の外部表面に形成され、前記保持枠を前記基枠に連結する少なくとも一つの掛片を備えることを特徴とする請求項４に記載の背板不要のＬＥＤ照明器具。
【請求項６】
前記冷却板の材料はアルミ押出ヒートシンクを含み、前記絶縁シートの材料はマイラーポリエステル膜を含むことを特徴とする請求項１の背板不要のＬＥＤ照明器具。
【考案の詳細な説明】
【技術分野】
【０００１】
本考案は照明器具に関し、特に背板不要のＬＥＤ照明器具に関する。
【背景技術】
【０００２】
従来のＬＥＤ照明器具は通常、ＬＥＤランプからの光の漏れを防ぐために、ＬＥＤランプ裏側に装着され、ランプソケットの幅木とも称される背板を有する。しかしながら背板の装着時、照明器具はＬＥＤランプに装着された冷却板または冷却板のないＬＥＤランプ自体が密閉空間に配置されるように密閉される。冷却板またはＬＥＤランプ自体により生じた熱が密閉空間内で連続的に大気中に伝わると、密閉空間中の気温は絶え間なく増加することになる。密閉空間中の気温が冷却板またはＬＥＤランプ自体の温度に達すると、冷却板またはＬＥＤランプ自体の熱放散の効率が下がり、ＬＥＤランプがオーバーヒートする可能性がある。
【０００３】
たとえば従来のＬＥＤ照明器具構造体は、基台と、光源がＬＥＤである少なくとも１つの発光体と、少なくとも１つの光導体構造体と、笠とを含む。発光体は基台の表面に配置され、基台と発光体は笠で覆われる。光導体構造体は、発光体と笠とを連接して発光体からの光を所望の照射領域に導く。このようなＬＥＤ照明器具構造体では基台および笠により密閉空間が形成され、発光体によって生じた熱が密閉空間にたまり、発光体を容易にオーバーヒートさせることになる。
したがって、従来のＬＥＤ照明器具は依然として前述の問題があり、従来のＬＥＤ照明器具の前述の欠陥に対する解決策が求められている。
【考案の開示】
【考案が解決しようとする課題】
【０００４】
本考案の目的は背板不要のＬＥＤ照明器具を提供することにある。
【課題を解決するための手段】
【０００５】
本考案の背板不要のＬＥＤ照明器具は、下面と中空部とを有する基枠と、下面および中空部下方に配置された冷却板と、冷却板下方に積層されて配置されたＬＥＤ直管螢光灯および絶縁シートと、少なくとも中央反射板と、少なくとも側方反射板と、少なくとも側板と、を有する反射シェルと、を含み、中央反射板と側方反射板は両方とも少なくとも縁部を含み、中央反射板と側方反射板との縁部間の距離は、縁部をＬＥＤ直管蛍光灯に密接に装着するため、ＬＥＤ直管蛍光灯の幅と等しくなっている。
【０００６】
本考案の背板不要のＬＥＤ照明器具は、反射シェル下方に配置された光透過板をさらに含む。また、背板不要のＬＥＤ照明器具は、反射シェルの側板下方に配置され、光透過板を固定する保持枠をさらに含む。保持枠は、保持枠の外部表面に形成され基枠と連結する少なくとも挫屈片を含む。光透過板の材料は、アクリルシートまたはポリカーボネートシートを含み、絶縁シートの材料はマイラーポリエステル膜を含む。冷却板の材料はアルミ押出ヒートシンクを含む。
【０００７】
本考案の１つの利点は、かかるＬＥＤ照明器具が、基枠の中空部に配置され光の漏れを防ぐためのいかなる他の背板をも必要としないことである。
本考案の他の利点は、ＬＥＤ照明器具の冷却板を流体空気中に直接露出して、熱放散の効率を高めることである。
これらおよびその他の目的と利点は、添付した図面および実用新案登録の範囲と併せて行われる本考案の好ましい実施形態の以下の説明から明らかになるであろう。
【考案を実施するための最良の形態】
【０００８】
以下、好ましい一実施形態および側面により本考案を説明するが、これらの説明は本考案の構造体と手順を解釈するものであり、例示だけに用いられ、本考案の実用新案登録の範囲を制限するものではない。したがって、本願明細書における好ましい実施形態以外に、本考案を他の実施形態でも広く用いることができる。
【０００９】
本実施形態は背板不要のＬＥＤ照明器具を開示する。本実施形態の背板不要のＬＥＤ照明器具において、反射板の縁部はＬＥＤ直管蛍光灯に密接に装着され、光の漏れを防ぐ機能を獲得し、これにより背板をなくすことができ、かつ冷却板のクーリングフィンを空気中に露出し熱の散逸効果を高めることができる。図１に示されるように本実施形態のＬＥＤ照明器具１０は、基枠１０１と、冷却板１０２と、絶縁シート１０３と、ＬＥＤ直管蛍光灯１０４と、反射シェル１０５と、光透過板１０６と、保持枠１０７と、を含む。図２に示されるように基枠１０１は中空であり、中空部を１０１１とする。基枠１０１は、中空部１０１１に隣接する下面１０１２を含む。さらに基枠１０１は、下面１０１２を介して形成され、冷却板１０２に連結される複数の孔１０１３を含む。基枠１０１は、基枠１０１の内側壁１０１５に形成され、反射シェル１０５を固定する複数の可撓性薄片１０１４をさらに含む。また、基枠１０１は、基枠１０１の下面１０１２の下方に形成され、中空部１０１１の中央を横切る水平ブラケット１０１６を含む。
【００１０】
図２に示されるように、ＬＥＤ電源１０１７と複数の端末ブロック１０１８とは水平ブラケット１０１６の下方に形成され、導線により互いに連結される。基枠１０１はさらに、内側壁１０１５に隣接して形成される複数の異型孔１０１９を含む。図２に示されるように、冷却板１０２は内部を貫通する複数の孔１０２１を含む。孔１０２１は内部にネジを差し込むために孔１０１３と位置合わせされ、基枠１０１の下面１０１２に冷却板１０２を固定する。冷却板１０２はさらに、上面に形成された複数の冷却フィン１０２２と、その下面に平行に形成され所定の距離だけ離間された２つの条状部１０２３と、を含む。冷却板１０２は、内部および冷却板１０２の中央軸を貫通して形成され、絶縁シート１０３およびＬＥＤ直管蛍光灯１０４を連結する複数のバイアホール１０２４をさらに含む。本考案の一実施形態において、冷却板１０２はアルミ押出ヒートシンクでもよい。
【００１１】
図２に示されるように絶縁シート１０３は、内部および絶縁シート１０３の中央軸を貫通して形成される複数のバイアホール１０３１を含む。本考案の一実施形態において、絶縁シート１０３はマイラーポリエステル膜でもよい。図２に示されるようにＬＥＤ直管蛍光灯１０４はまた、内部およびＬＥＤ直管蛍光灯１０４の中央軸を貫通して形成される複数のバイアホール１０４１を含む。バイアホール１０３１および１０４１は両方とも内部にネジを差し込むためにバイアホール１０２４と位置合わせされ、絶縁シート１０３を上にＬＥＤ直管蛍光灯１０４を下にした形で冷却板１０２の下面に積層されて絶縁シート１０３およびＬＥＤ直管蛍光灯１０４を固定する。図２に示されるように、ＬＥＤ直管蛍光灯１０４は、その下面に配置された複数のＬＥＤランプ１０４２を含む。
【００１２】
図３に示されるように反射シェル１０５は、少なくとも中央反射板１０５１と、少なくとも側方反射板と１０５２と、少なくとも側板１０５５とを含む。一実施形態において、中央反射板１０５１と側方反射板１０５２の材料は薄い金属板を含む。中央反射板１０５１と側方反射板１０５２は両方とも、中央反射板１０５１および側方反射板１０５２の縁部に形成される縁部１０５３を含む。一実施形態では、中央反射板１０５１はＶ字形である。図３に示されるように、中央反射板１０５１の縁部１０５３と、側方反射板１０５２の縁部１０５３とは互いに隣接し、異なる中央反射板１０５１の縁部１０５３もまた互いに隣接する。隣接する縁部１０５３の間の距離は、縁部１０５３がＬＥＤ直管蛍光灯１０４の縁部に密接に装着されるようにＬＥＤ直管蛍光灯１０４の幅と等しくなっており、反射シェル１０５、基枠１０１、冷却板１０２、絶縁シート１０３、ＬＥＤ直管蛍光灯１０４は、ＬＥＤランプ１０４２からの発光の漏れを防ぐために一体に組み立てられている。  
【００１３】
反射シェル１０５はさらに、反射シェル１０５の側板１０５５に形成され、反射シェル１０５が基枠１０１に連結されるように、基枠１０１の可撓性薄片１０１４の突出部によって挿入される複数の開口部１０５４を含む。図１に示されるように光透過板１０６は反射シェル１０５の下方に配置する。本考案の一実施形態において、光透過板１０６は、アクリル板またはポリカーボネート（ＰＣ）シートでもよい。図４および図５に示されるように保持枠１０７は、保持枠１０７の部品から切断される複数の湾曲可能な金属薄片１０７４を含む。光透過板１０６は、光透過板１０６を保持枠１０７に配置し、複数の湾曲可能な金属薄片１０７４を曲げ光透過板１０６を圧締めすることにより保持枠１０７上に固定されてもよい。図４を参照すると、保持枠１０７は、保持枠１０７の外側表面１０７２に形成され、枠１０１を保持枠１０７に連結するように掛片１０７１のフック部１０７５を回転させることによって、基枠１０１を基枠１０１の異型穴１０１９に座屈させる複数の掛片１０７１を含む。実施形態において、図４に示されるブラインドリベット１０７３により、複数の掛片１０７１が保持枠１０７の外側表面１０７２上に固定されている。これにより、ＬＥＤランプ１０４２からの発光は中央反射板１０５１および側方反射板１０５２による反射を介して集束され、均質化されて外部へ投光されるため光透過板１０６を通過する。図６は、基枠１０１上に冷却板１０２、続いて絶縁シート１０３、ＬＥＤ直管蛍光灯１０４がこの順序で組み立てられる背板不要のＬＥＤ照明器具１０を示すダイヤグラムである。図７は、図６の背板不要のＬＥＤ照明器具１０がさらに反射シェル１０５と組み立てられたことを示すダイヤグラムである。図８は、図７の背板不要のＬＥＤ照明器具１０がさらに図５の光透過板１０６および保持枠１０７と組み立てられたことを示すダイヤグラムであり、背板不要のＬＥＤ照明器具１０の組み立て後のダイヤグラムである。
【００１４】
前述のように本実施形態のＬＥＤ照明器具１０は、基枠１０１の中空部１０１１に配置され、反射シェル１０５の縁部１０５３をＬＥＤ直管蛍光灯１０４の縁部に密接に装着することによって光の漏れを防ぐためのいかなる他の背板も必要としない。基枠１０１の中空部１０１１には、流体空気の中空部１０１１下方に配置され熱放散効率を高める冷却板１０２の冷却フィン１０２２を露出するためのいかなる背板も配置されていないため、外気に流動的に連接された状態を保つことができる。
【００１５】
上記の記述は本考案の好ましい実施形態である。かかる実施形態は、例示のためのみに説明され、本考案を制限するものではなく、かつ本考案の趣旨と範囲から逸脱することなく当業者により多くの変更および修正がなされうる。かかる変更および修正はすべて本考案の実用新案登録の範囲または同等物に含まれる。
【００１６】
好ましい実施形態および明細書中の詳細な説明および以下の添付図面により本考案を理解することができる。しかしながら、本考案の好ましい実施形態は例示のためのみであり、実用新案登録の範囲を制限するものではない。
【図面の簡単な説明】
【００１７】
【図１】本考案の好ましい一実施形態による背板不要のＬＥＤ照明器具を示す分解図。
【図２】本考案の好ましい一実施形態による背板不要のＬＥＤ照明器具の基枠、冷却板、絶縁シート、ＬＥＤ直管蛍光灯のダイヤグラムを示す説明図。
【図３】本考案の好ましい一実施形態による背板不要のＬＥＤ照明器具の反射シェルのダイヤグラムを示す説明図。
【図４】本考案の好ましい一実施形態による背板不要のＬＥＤ照明器具の光透過板と保持枠のダイヤグラムを示す説明図。
【図５】本考案の好ましい一実施形態による背板不要のＬＥＤ照明器具の光透過板と保持枠とを組み立てたダイヤグラムを示す説明図。
【図６】本考案の好ましい一実施形態による背板不要のＬＥＤ照明器具を組み立てたダイヤグラムを示す説明図。
【図７】本考案の好ましい一実施形態による背板不要のＬＥＤ照明器具を組み立てたダイヤグラムを示す説明図。
【図８】本考案の好ましい一実施形態による背板不要のＬＥＤ照明器具を組み立てたダイヤグラムを示す説明図。
【符号の説明】
【００１８】
１０：ＬＥＤ照明器具、１０１：基枠、１０２：冷却板、１０３：絶縁シート、１０４：ＬＥＤ直管蛍光灯、１０５：反射シェル、１０６：光透過板、１０７：保持枠、１０１１：中空部、１０１２：下面、１０１３：孔、１０１４：可撓性薄片、１０１５：内側壁、１０１６：水平ブラケット、１０１７：ＬＥＤ電源、１０１８：端末ブロック、１０１９：異型孔、１０２１：孔、１０２２：冷却フィン、１０２３：条状部、１０２４：バイアホール、１０３１：バイアホール、１０４１：バイアホール、１０４２：ＬＥＤランプ、１０５１：中央反射板、１０５２：側方反射板、１０５３：縁部、１０５４：開口部、１０５５：側板、１０７１：掛片、１０７２：外側表面、１０７３：ブラインドリベット、１０７４：湾曲可能な金属薄片、１０７５：フック部、
【図１】
0003147577.tif 000003
【図２】
0003147577.tif 000004
【図３】
0003147577.tif 000005
【図４】
0003147577.tif 000006
【図５】
0003147577.tif 000007
【図６】
0003147577.tif 000008
【図７】
0003147577.tif 000009
【図８】
0003147577.tif 000010